(57)【特許請求の範囲】
【請求項１】
複数の営業店を有する金融機関が備えており該金融機関における為替取引の処理を行うセンターシステムと、前記営業店が備えており前記センターシステムで処理される為替取引の依頼を受け付ける営業店システムと、が通信ネットワークを介して接続される為替取引処理システムであって、
前記センターシステムは、前記営業店システムにより受け付けられた為替取引に基づく為替処理を行う為替サーバ装置と、前記為替サーバ装置の処理結果に基づき勘定処理を行う勘定系サーバ装置と、為替取引を識別するための取引識別子を管理する取引識別子管理装置と、を備えており、
前記営業店システムは、為替取引帳票に記載されている情報により特定される為替取引を受け付ける取引受付装置と、前記為替取引帳票に記載されている情報を前記センターシステムに送信する帳票情報送信装置と、を備えており、
前記営業店システムの前記取引受付装置は、
前記為替取引帳票に記載されている情報により特定される為替取引に付与する取引識別子の要求情報を、前記センターシステムの前記取引識別子管理装置に送信する取引識別子要求情報送信手段と、
前記取引識別子要求情報送信手段により送信された要求情報に応じて前記取引識別子管理装置から送信される取引識別子を受信すると、該受信した取引識別子を前記為替取引帳票に印刷する取引識別子印刷手段と、を備え、
前記営業店システムの前記帳票情報送信装置は、
前記取引識別子印刷手段により取引識別子が印刷された為替取引帳票の画像データと、該為替取引帳票に印刷されている取引識別子と、を取得する帳票情報取得手段と、
前記帳票情報取得手段により取得された画像データと取引識別子とを前記センターシステムの前記取引識別子管理装置に送信する帳票情報送信手段と、を備え、
前記センターシステムの前記取引識別子管理装置は、
為替取引に付与されている取引識別子と、該取引識別子で識別される為替取引のステータス情報と、を関連付けて記憶する取引識別子記憶手段と、
取引識別子と、該取引識別子が印刷されている為替取引帳票の画像データと、を関連付けて記憶する画像データ記憶手段と、
前記取引受付装置の前記取引識別子要求情報送信手段により送信された要求情報を受信すると、未だ為替取引に付与されていない取引識別子を前記取引受付装置に送信する付与取引識別子送信手段と、
前記付与取引識別子送信手段により送信された取引識別子と、画像データを取得していないことを示すステータス情報である画像データ未取得情報と、を前記取引識別子記憶手段に関連付けて記録するステータス情報記録手段と、
前記帳票情報送信装置の前記帳票情報送信手段により送信された取引識別子を受信すると、該受信した取引識別子が前記取引識別子記憶手段において画像データ未取得情報に関連付けられているか否かを判別し、該取引識別子が画像データ未取得情報に関連付けられていると判別したときに、前記帳票情報送信手段により送信された取引識別子と画像データとを関連付けて前記画像データ記憶手段に記録する画像データ記録手段と、
前記画像データ記録手段により取引識別子と画像データとが関連付けられて前記画像データ記憶手段に記録されたときに、該取引識別子に関連付けて前記取引識別子記憶手段に記憶されているステータス情報を、画像データを取得していることを示す画像データ取得済み情報に変更するステータス情報変更手段と、
前記画像データ記録手段により記録された画像データを、該画像データにより特定される為替取引に基づく為替処理を行う前記為替サーバ装置に送信する記録画像データ送信手段と、を備える、
ことを特徴とする為替取引処理システム。
【請求項２】
前記営業店システムの前記帳票情報送信装置の前記帳票情報送信手段は、
前記帳票情報取得手段により取得された取引識別子と、該取引識別子が印刷されている為替取引帳票の画像データの送信許可を要求する情報と、を含む送信許可要求情報を前記センターシステムの前記取引識別子管理装置に送信する送信許可要求情報送信手段と、
前記送信許可要求情報送信手段により送信された送信許可要求情報に応じて前記取引識別子管理装置から送信される送信許可情報を受信すると、該送信許可情報に含まれている取引識別子と、該取引識別子が印刷されている為替取引帳票の前記帳票情報取得手段により取得された画像データと、を関連付けて前記取引識別子管理装置に送信する許可帳票情報送信手段と、を含み、
前記センターシステムの前記取引識別子管理装置の前記画像データ記録手段は、
前記送信許可要求情報送信手段により送信された送信許可要求情報を受信すると、該受信した取引識別子が前記取引識別子記憶手段において画像データ未取得情報に関連付けられているか否かを判別する画像データ未取得判別手段と、
前記画像データ未取得判別手段により取引識別子が画像データ未取得情報に関連付けられていると判別されたときに、該取引識別子と、該取引識別子が印刷されている為替取引帳票の画像データの送信を許可する情報と、を含む送信許可情報を前記営業店システムの前記帳票情報送信装置に送信する送信許可情報送信手段と、
前記送信許可情報送信手段により送信された送信許可情報に応じて前記許可帳票情報送信手段により送信された取引識別子と画像データとを受信する許可帳票情報受信手段と、
前記許可帳票情報受信手段により受信された取引識別子と画像データとを関連付けて前記画像データ記憶手段に記録する許可画像データ記録手段と、を含む、
ことを特徴とする請求項１に記載の為替取引処理システム。
【請求項３】
前記センターシステムの前記取引識別子管理装置は、更に、
前記為替サーバ装置から、取引識別子と、該取引識別子が印刷されている為替取引帳票の画像データの再送を要求する情報と、を含む再送要求情報を受信する再送要求情報受信手段と、
前記再送要求情報受信手段により再送要求情報が受信されたときに、該再送要求情報に含まれている取引識別子に関連付けて前記取引識別子記憶手段に記憶されているステータス情報を、画像データの再送が要求されていることを示す画像データ再送要求情報に変更する再送要求ステータス情報変更手段と、を備え、
前記取引識別子管理装置の前記画像データ記録手段は、
前記帳票情報送信装置の前記帳票情報送信手段により送信された取引識別子を受信すると、該受信した取引識別子が前記取引識別子記憶手段において画像データ未取得情報又は画像データ再送要求情報に関連付けられているか否かを判別し、該取引識別子が画像データ未取得情報又は画像データ再送要求情報に関連付けられていると判別したときに、前記帳票情報送信手段により送信された取引識別子と画像データとを関連付けて前記画像データ記憶手段に記録する、
ことを特徴とする請求項１又は２に記載の為替取引処理システム。
【請求項４】
前記営業店システムの前記取引受付装置は、更に、
受け付けた為替取引において入金された金額を取得する入金金額取得手段と、
前記入金金額取得手段により取得された入金金額を、前記センターシステムの前記勘定系サーバ装置に送信する入金金額送信手段と、
前記勘定系サーバ装置から、前記入金金額送信手段により送信された入金金額が収納されたことを示す収納済み情報を受信する収納済み情報受信手段と、を備え、
前記取引受付装置の前記取引識別子要求情報送信手段は、
前記収納済み情報受信手段により収納済み情報が受信されたときに、取引識別子の要求情報を前記センターシステムの前記取引識別子管理装置に送信する、
ことを特徴とする請求項１乃至３の何れか１項に記載の為替取引処理システム。
【請求項５】
複数の営業店を有する金融機関が備えており該金融機関における為替取引の処理を行うセンターシステムと、前記営業店が備えており前記センターシステムで処理される為替取引の依頼を受け付ける営業店システムと、が通信ネットワークを介して接続される為替取引処理システムを用いて実行される為替取引処理方法であって、
前記センターシステムは、前記営業店システムにより受け付けられた為替取引に基づく為替処理を行う為替サーバ装置と、前記為替サーバ装置の処理結果に基づき勘定処理を行う勘定系サーバ装置と、為替取引を識別するための取引識別子を管理する取引識別子管理装置と、を備えており、
前記営業店システムは、為替取引帳票に記載されている情報により特定される為替取引を受け付ける取引受付装置と、前記為替取引帳票に記載されている情報を前記センターシステムに送信する帳票情報送信装置と、を備えており、
前記センターシステムの前記取引識別子管理装置は、為替取引に付与されている取引識別子と、該取引識別子で識別される為替取引のステータス情報と、を関連付けて記憶する取引識別子記憶部と、取引識別子と、該取引識別子が印刷されている為替取引帳票の画像データと、を関連付けて記憶する画像データ記憶部と、を備えており、
前記営業店システムの前記取引受付装置が、前記為替取引帳票に記載されている情報により特定される為替取引に付与する取引識別子の要求情報を、前記センターシステムの前記取引識別子管理装置に送信する取引識別子要求情報送信ステップと、
前記センターシステムの前記取引識別子管理装置が、前記取引識別子要求情報送信ステップにより送信された要求情報を受信すると、未だ為替取引に付与されていない取引識別子を前記取引受付装置に送信する付与取引識別子送信ステップと、
前記センターシステムの前記取引識別子管理装置が、前記付与取引識別子送信ステップにより送信された取引識別子と、画像データを取得していないことを示すステータス情報である画像データ未取得情報と、を前記取引識別子記憶部に関連付けて記録するステータス情報記録ステップと、
前記営業店システムの前記取引受付装置が、前記付与取引識別子送信ステップにより送信された取引識別子を受信すると、該受信した取引識別子を前記為替取引帳票に印刷する取引識別子印刷ステップと、
前記営業店システムの前記帳票情報送信装置が、前記取引識別子印刷ステップにより取引識別子が印刷された為替取引帳票の画像データと、該為替取引帳票に印刷されている取引識別子と、を取得する帳票情報取得ステップと、
前記営業店システムの前記帳票情報送信装置が、前記帳票情報取得ステップにより取得された画像データと取引識別子とを前記センターシステムの前記取引識別子管理装置に送信する帳票情報送信ステップと、
前記センターシステムの前記取引識別子管理装置が、前記帳票情報送信ステップにより送信された取引識別子を受信すると、該受信した取引識別子が前記取引識別子記憶部において画像データ未取得情報に関連付けられているか否かを判別し、該取引識別子が画像データ未取得情報に関連付けられていると判別したときに、前記帳票情報送信ステップにより送信された取引識別子と画像データとを関連付けて前記画像データ記憶部に記録する画像データ記録ステップと、
前記センターシステムの前記取引識別子管理装置が、前記画像データ記録ステップにより取引識別子と画像データとが関連付けられて前記画像データ記憶部に記録されたときに、該取引識別子に関連付けて前記取引識別子記憶部に記憶されているステータス情報を、画像データを取得していることを示す画像データ取得済み情報に変更するステータス情報変更ステップと、
前記センターシステムの前記取引識別子管理装置が、前記画像データ記録ステップにより記録された画像データを、該画像データにより特定される為替取引に基づく為替処理を行う前記為替サーバ装置に送信する記録画像データ送信ステップと、
を含むことを特徴とする為替取引処理方法。
【発明の詳細な説明】
【技術分野】
【０００１】
本発明は、銀行等の金融機関における為替取引処理のための為替取引処理システム等に関する。
【背景技術】
【０００２】
銀行等の金融機関では、各営業店での顧客からの依頼に応じて、現金の所定口座への振込等の為替取引の手続を行う際、各営業店に設置されているＯＣＲ（Optical Character Reader）を用いて、手続きに必要な情報が記載されている為替帳票を読み取り、読み取ったデータを、金融機関における事務処理を集中して行う集中センターに送信する。集中センターでは、受信したデータに基づいて必要な処理が行われる。
【０００３】
また、このような為替取引の処理においては、二重処理防止、データ検証等のために、為替取引帳票毎、即ち取引毎に、一意の取引通番が付与されて為替取引帳票に印字されることが行われている。
そして、取引通番が印字された為替取引帳票は、取引の二重処理を防止するために、例えば、ＯＣＲによって二度と読み取られないようにされることがある。
【０００４】
一方で、このように二度と読み取られないようにされている場合には、取引通番の付与後に、為替取引帳票における必要項目の記載漏れ、記入文字の不鮮明等の為替取引帳票の不備が発見された場合、たとえ不備を修正しても、そのままでは修正後の為替取引帳票をＯＣＲで再度読み取らせることができない。
【０００５】
そこで、取引通番を指定して為替取引帳票の再読み取りを指示することによって、為替取引帳票の修正後であっても、ＯＣＲによる再読み取りを可能にするようにした技術がある（例えば、特許文献１参照）。
【先行技術文献】
【特許文献】
【０００６】
【特許文献１】特開２００２−２４５３９４号公報
【発明の概要】
【発明が解決しようとする課題】
【０００７】
ところで、取引通番を利用して二重処理を防止している特許文献１に記載の技術及びその関連技術においては、ＯＣＲで為替取引帳票を読み取る際には、読み取り作業を行う営業店毎に、取引通番の採番が行われている。
【０００８】
そのため、複数の営業店を有する金融機関では、実際の処理は集中センターで行う一方で、営業店毎に取引通番を採番して管理するためのシステムが必要であり、各営業店におけるシステムの処理に負担がかかり、金融機関における為替取引処理システム設計上の課題となっている。
【０００９】
また、例えば、取引通番の形式等を変更したいような場合には、営業店毎に設置されている取引通番の採番管理システムのすべての仕様を変更しなければならず、変更に膨大な手間がかかってしまう。
【００１０】
本発明は、上記実状に鑑みてなされたものであり、金融機関の各営業店におけるシステムの処理負担を軽減しながら為替取引処理の二重処理を防止することができる為替取引処理システム等を提供することを目的とする。
【課題を解決するための手段】
【００１１】
上記目的を達成するため、本発明の第１の観点に係る為替取引処理システムは、
複数の営業店を有する金融機関が備えており該金融機関における為替取引の処理を行うセンターシステムと、前記営業店が備えており前記センターシステムで処理される為替取引の依頼を受け付ける営業店システムと、が通信ネットワークを介して接続される為替取引処理システムであって、
前記センターシステムは、前記営業店システムにより受け付けられた為替取引に基づく為替処理を行う為替サーバ装置と、前記為替サーバ装置の処理結果に基づき勘定処理を行う勘定系サーバ装置と、為替取引を識別するための取引識別子を管理する取引識別子管理装置と、を備えており、
前記営業店システムは、為替取引帳票に記載されている情報により特定される為替取引を受け付ける取引受付装置と、前記為替取引帳票に記載されている情報を前記センターシステムに送信する帳票情報送信装置と、を備えており、
前記営業店システムの前記取引受付装置は、
前記為替取引帳票に記載されている情報により特定される為替取引に付与する取引識別子の要求情報を、前記センターシステムの前記取引識別子管理装置に送信する取引識別子要求情報送信手段と、
前記取引識別子要求情報送信手段により送信された要求情報に応じて前記取引識別子管理装置から送信される取引識別子を受信すると、該受信した取引識別子を前記為替取引帳票に印刷する取引識別子印刷手段と、を備え、
前記営業店システムの前記帳票情報送信装置は、
前記取引識別子印刷手段により取引識別子が印刷された為替取引帳票の画像データと、該為替取引帳票に印刷されている取引識別子と、を取得する帳票情報取得手段と、
前記帳票情報取得手段により取得された画像データと取引識別子とを前記センターシステムの前記取引識別子管理装置に送信する帳票情報送信手段と、を備え、
前記センターシステムの前記取引識別子管理装置は、
為替取引に付与されている取引識別子と、該取引識別子で識別される為替取引のステータス情報と、を関連付けて記憶する取引識別子記憶手段と、
取引識別子と、該取引識別子が印刷されている為替取引帳票の画像データと、を関連付けて記憶する画像データ記憶手段と、
前記取引受付装置の前記取引識別子要求情報送信手段により送信された要求情報を受信すると、未だ為替取引に付与されていない取引識別子を前記取引受付装置に送信する付与取引識別子送信手段と、
前記付与取引識別子送信手段により送信された取引識別子と、画像データを取得していないことを示すステータス情報である画像データ未取得情報と、を前記取引識別子記憶手段に関連付けて記録するステータス情報記録手段と、
前記帳票情報送信装置の前記帳票情報送信手段により送信された取引識別子を受信すると、該受信した取引識別子が前記取引識別子記憶手段において画像データ未取得情報に関連付けられているか否かを判別し、該取引識別子が画像データ未取得情報に関連付けられていると判別したときに、前記帳票情報送信手段により送信された取引識別子と画像データとを関連付けて前記画像データ記憶手段に記録する画像データ記録手段と、
前記画像データ記録手段により取引識別子と画像データとが関連付けられて前記画像データ記憶手段に記録されたときに、該取引識別子に関連付けて前記取引識別子記憶手段に記憶されているステータス情報を、画像データを取得していることを示す画像データ取得済み情報に変更するステータス情報変更手段と、
前記画像データ記録手段により記録された画像データを、該画像データにより特定される為替取引に基づく為替処理を行う前記為替サーバ装置に送信する記録画像データ送信手段と、を備える、
ことを特徴とする。
【００１２】
また、本発明の第２の観点に係る為替取引処理方法は、
複数の営業店を有する金融機関が備えており該金融機関における為替取引の処理を行うセンターシステムと、前記営業店が備えており前記センターシステムで処理される為替取引の依頼を受け付ける営業店システムと、が通信ネットワークを介して接続される為替取引処理システムを用いて実行される為替取引処理方法であって、
前記センターシステムは、前記営業店システムにより受け付けられた為替取引に基づく為替処理を行う為替サーバ装置と、前記為替サーバ装置の処理結果に基づき勘定処理を行う勘定系サーバ装置と、為替取引を識別するための取引識別子を管理する取引識別子管理装置と、を備えており、
前記営業店システムは、為替取引帳票に記載されている情報により特定される為替取引を受け付ける取引受付装置と、前記為替取引帳票に記載されている情報を前記センターシステムに送信する帳票情報送信装置と、を備えており、
前記センターシステムの前記取引識別子管理装置は、為替取引に付与されている取引識別子と、該取引識別子で識別される為替取引のステータス情報と、を関連付けて記憶する取引識別子記憶部と、取引識別子と、該取引識別子が印刷されている為替取引帳票の画像データと、を関連付けて記憶する画像データ記憶部と、を備えており、
前記営業店システムの前記取引受付装置が、前記為替取引帳票に記載されている情報により特定される為替取引に付与する取引識別子の要求情報を、前記センターシステムの前記取引識別子管理装置に送信する取引識別子要求情報送信ステップと、
前記センターシステムの前記取引識別子管理装置が、前記取引識別子要求情報送信ステップにより送信された要求情報を受信すると、未だ為替取引に付与されていない取引識別子を前記取引受付装置に送信する付与取引識別子送信ステップと、
前記センターシステムの前記取引識別子管理装置が、前記付与取引識別子送信ステップにより送信された取引識別子と、画像データを取得していないことを示すステータス情報である画像データ未取得情報と、を前記取引識別子記憶部に関連付けて記録するステータス情報記録ステップと、
前記営業店システムの前記取引受付装置が、前記付与取引識別子送信ステップにより送信された取引識別子を受信すると、該受信した取引識別子を前記為替取引帳票に印刷する取引識別子印刷ステップと、
前記営業店システムの前記帳票情報送信装置が、前記取引識別子印刷ステップにより取引識別子が印刷された為替取引帳票の画像データと、該為替取引帳票に印刷されている取引識別子と、を取得する帳票情報取得ステップと、
前記営業店システムの前記帳票情報送信装置が、前記帳票情報取得ステップにより取得された画像データと取引識別子とを前記センターシステムの前記取引識別子管理装置に送信する帳票情報送信ステップと、
前記センターシステムの前記取引識別子管理装置が、前記帳票情報送信ステップにより送信された取引識別子を受信すると、該受信した取引識別子が前記取引識別子記憶部において画像データ未取得情報に関連付けられているか否かを判別し、該取引識別子が画像データ未取得情報に関連付けられていると判別したときに、前記帳票情報送信ステップにより送信された取引識別子と画像データとを関連付けて前記画像データ記憶部に記録する画像データ記録ステップと、
前記センターシステムの前記取引識別子管理装置が、前記画像データ記録ステップにより取引識別子と画像データとが関連付けられて前記画像データ記憶部に記録されたときに、該取引識別子に関連付けて前記取引識別子記憶部に記憶されているステータス情報を、画像データを取得していることを示す画像データ取得済み情報に変更するステータス情報変更ステップと、
前記センターシステムの前記取引識別子管理装置が、前記画像データ記録ステップにより記録された画像データを、該画像データにより特定される為替取引に基づく為替処理を行う前記為替サーバ装置に送信する記録画像データ送信ステップと、
を含むことを特徴とする。
【発明の効果】
【００１３】
本発明によれば、金融機関の各営業店におけるシステムの処理負担を軽減しながら為替取引処理の二重処理を防止することができる。
【図面の簡単な説明】
【００１４】
【図１】本発明の第１の実施形態に係る為替取引処理システムの概略構成を示すブロック図である。
【図２】為替取引処理システムの機能的な構成例を示すブロック図である。
【図３】取引通番記憶部に記憶されているデータのデータ構造例を示す図である。
【図４】取引通番が印刷された為替取引帳票の一例を示す図である。
【図５】画像データ記憶部に記憶されているデータのデータ構造例を示す図である。
【図６】ＩＷＦ中継サーバのハードウェア構成例を示すブロック図である。
【図７】本発明の第２の実施形態に係る為替取引処理システムの機能的な構成例を示すブロック図である。
【図８】本発明の第３の実施形態に係る為替取引処理システムの機能的な構成例を示すブロック図である。
【図９】本発明の第４の実施形態に係る為替取引処理システムの機能的な構成例を示すブロック図である。
【発明を実施するための形態】
【００１５】
以下、本発明の実施形態を図面を参照して説明する。
【００１６】
［第１の実施形態］
図１は、本発明の第１の実施形態に係る為替取引処理システム１の概略構成を示すブロック図である。
図１に示すように、為替取引処理システム１は、銀行等の金融機関が備える集中センターシステム１０と、金融機関が有している各営業店が備えている複数の営業店システム２０と、を備えている。集中センターシステム１０と営業店システム２０とは、通信ネットワーク３０を介して接続されている。
【００１７】
集中センターシステム１０は、金融機関における為替取引の処理を行うシステムである。営業店システム２０は、集中センターシステム１０で処理される為替取引の依頼を受け付けるシステムである。通信ネットワーク３０は、インターネット、イントラネット、ＷＡＮ（Wide Area Network）、ＬＡＮ（Local Area Network）等の通信網である。
【００１８】
また、集中センターシステム１０は、為替サーバ１１と、勘定系ホスト１２と、イメージワークフロー中継サーバ（以下、ＩＷＦ中継サーバと称する）１３と、を備えている。
集中センターシステム１０内において、為替サーバ１１は、勘定系ホスト１２及びＩＷＦ中継サーバ１３と接続されている。
【００１９】
為替サーバ１１は、営業店システム２０により受け付けられた為替取引に基づく為替処理を行うサーバ装置である。また、為替サーバ１１には、為替サーバ１１に記憶されているデータに基づきオペレータがエントリー処理を行うための複数のエントリー端末（図示せず）が接続されている。
【００２０】
勘定系ホスト１２は、為替サーバ１１の処理結果に基づき勘定処理を行うサーバ装置である。
【００２１】
ＩＷＦ中継サーバ１３は、伝票等の帳票の画像データ（イメージ）を利用したワークフローを実現するために、営業店システム２０から目的の業務サーバへのデータの仲介を行うサーバ装置である。具体的には、ＩＷＦ中継サーバ１３は、営業店システム２０から受信した画像データ等のデータを為替サーバ１１に送信する。また、ＩＷＦ中継サーバ１３は、為替取引を識別するための識別子である取引通番を管理する装置としても機能する。
【００２２】
一方、営業店システム２０は、窓口端末２１と、イメージ送信用端末２２と、を備えている。
【００２３】
窓口端末２１は、営業店の窓口に設置されており、窓口係の者が操作する端末装置である。窓口端末２１には、周辺機器として、帳票等に印字を行うためのプリンタ等の印刷装置、現金の入金及び出金を行うための現金入手金装置等が接続されている。以下では、これらの周辺機器を含めて窓口端末２１と称する場合がある。また、窓口端末２１は、例えば顧客からの依頼に応じて、顧客が記載した為替取引帳票に記載されている情報により特定される為替取引を受け付ける取引受付装置としても機能する。
【００２４】
イメージ送信用端末２２は、イメージデータを営業店システム２０から集中センターシステム１０に送信するための端末装置である。イメージ送信用端末２２には、周辺機器として、文書の画像データを生成するイメージスキャナ、文書に印字されている文字を読み取るＯＣＲ（Optical Character Reader）等が接続されている。以下では、これらの周辺機器を含めてイメージ送信用端末２２と称する場合がある。なお、ＯＣＲの機能は、イメージ送信用端末２２にインストールされるソフトウェアによって、イメージスキャナで読み取った画像データから文字を識別することにより実現するようにしても良い。また、イメージ送信用端末２２は、為替取引帳票に記載されている情報を集中センターシステム１０に送信する帳票情報送信装置として機能する。
【００２５】
図２は、為替取引処理システム１の機能的な構成例を示すブロック図である。
図２に示すように、集中センターシステム１０のＩＷＦ中継サーバ１３は、取引通番記憶部１３１と、画像データ記憶部１３２と、付与取引通番送信部１３３と、ステータス情報記録部１３４と、画像データ記録部１３５と、ステータス情報変更部１３６と、記録画像データ送信部１３７と、を備えている。
【００２６】
また、営業店システム２０の窓口端末２１は、取引通番要求情報送信部２１１と、取引通番印刷部２１２と、を備えている。
更に、営業店システム２０のイメージ送信用端末２２は、帳票情報取得部２２１と、帳票情報送信部２２２と、を備えている。
【００２７】
以下、上記各部を、為替取引処理システム１の動作の流れに沿って具体的に説明する。
まず、窓口端末２１の取引通番要求情報送信部２１１が、為替取引に付与する取引通番の要求情報を、集中センターシステム１０のＩＷＦ中継サーバ１３に送信する。
【００２８】
例えば、営業店の窓口で、顧客から振込等の為替取引の依頼を受けると、振込依頼書等の為替取引帳票に必要な情報を記入してもらい、為替取引帳票に記載されている情報により為替取引を特定する。窓口係の者は、為替取引を特定すると、窓口端末２１に接続されている印刷装置に為替取引帳票をセットすると共に、窓口端末２１を操作して、その為替取引を他の為替取引と区別するための管理番号である取引通番の採番をＩＷＦ中継サーバ１３に要求する。窓口係の者のこの操作に応じて、取引通番要求情報送信部２１１は、取引通番の要求情報をＩＷＦ中継サーバ１３に送信する。
【００２９】
ＩＷＦ中継サーバ１３の付与取引通番送信部１３３は、窓口端末２１の取引通番要求情報送信部２１１により送信された要求情報を受信すると、未だ為替取引に付与されていない取引通番を窓口端末２１に送信する。
【００３０】
例えば、付与取引通番送信部１３３は、窓口端末２１から取引通番の採番を要求されると、取引通番を新たに採番して、窓口端末２１に送信する。
【００３１】
ここで、取引通番を記憶する取引通番記憶部１３１について説明する。
図３は、取引通番記憶部１３１に記憶されているデータのデータ構造例を示す図である。
図３に示すように、取引通番記憶部１３１には、為替取引に付与されている取引通番と、その取引通番で識別される為替取引のステータス情報と、が関連付けて記憶されている。
【００３２】
ステータス情報としては、例えば、「画像データ未取得」、「画像データ取得済み」等の情報がある。「画像データ未取得」は、そのステータス情報に関連付けられている取引通番が付与されている為替取引を示す為替取引帳票の画像データを、ＩＷＦ中継サーバ１３が未だ取得していないことを示している。また、「画像データ取得済み」は、そのような画像データをＩＷＦ中継サーバ１３が既に取得していることを示している。
【００３３】
ステータス情報記録部１３４は、付与取引通番送信部１３３により送信された取引通番と、ステータス情報「画像データ未取得」と、を取引通番記憶部１３１に関連付けて記録する。
【００３４】
即ち、例えば、付与取引通番送信部１３３が、窓口端末２１からの取引通番の採番の要求を受信し、その要求に応じて新たな取引通番を採番すると、採番された取引通番と、ステータス情報「画像データ未取得」と、を関連付けて取引通番記憶部１３１に追加する。
【００３５】
窓口端末２１の取引通番印刷部２１２は、取引通番要求情報送信部２１１により送信された要求情報に応じてＩＷＦ中継サーバ１３の付与取引通番送信部１３３が送信した取引通番を受信する。
【００３６】
そして、取引通番印刷部２１２は、受信した取引通番を為替取引帳票に印刷する。例えば、取引通番印刷部２１２は、窓口端末２１に接続されている印刷装置を用いて、印刷装置に予めセットしておいた為替取引帳票に取引通番を印字する。
【００３７】
図４は、取引通番が印刷された為替取引帳票の一例を示す図である。
図４に示すように、為替取引帳票の一例である振込依頼書には、振込指定日、振込金額、振込先、依頼人等の振込に必要な情報が記載されている。そして、この振込依頼書の例では、右上隅に取引通番が印刷されている。
【００３８】
営業店システム２０内において、窓口端末２１で取引通番が印刷された為替取引帳票は、イメージ送信用端末２２に移される。
【００３９】
イメージ送信用端末２２の帳票情報取得部２２１は、取引通番印刷部２１２により取引通番が印刷された為替取引帳票の画像データと、その為替取引帳票に印刷されている取引通番と、を取得する。
【００４０】
例えば、帳票情報取得部２２１は、イメージ送信用端末２２に接続されているイメージスキャナを用いて、為替取引帳票を読み取り、その画像データを生成する。また、例えば、帳票情報取得部２２１は、イメージ送信用端末２２に接続されているＯＣＲを用いて、為替取引帳票に印刷されている取引通番を読み取り、その文字データを取得する。
【００４１】
帳票情報送信部２２２は、帳票情報取得部２２１により取得された画像データと取引通番とを集中センターシステム１０のＩＷＦ中継サーバ１３に送信する。
【００４２】
ＩＷＦ中継サーバ１３の画像データ記録部１３５は、帳票情報送信部２２２により送信された取引通番を受信すると、受信した取引通番が取引通番記憶部１３１においてステータス情報「画像データ未取得」に関連付けられているか否かを判別する。
そして、画像データ記録部１３５は、取引通番がステータス情報「画像データ未取得」に関連付けられていると判別したときに、帳票情報送信部２２２により送信された取引通番と画像データとを関連付けて画像データ記憶部１３２に記録する。
【００４３】
図５は、画像データ記憶部１３２に記憶されているデータのデータ構造例を示す図である。
図５に示すように、画像データ記憶部１３２には、取引通番と、その取引通番が印刷されている為替取引帳票の画像データと、が関連付けて記憶されている。
【００４４】
即ち、画像データ記録部１３５は、営業店システム２０のイメージ送信用端末２２から受信した画像データが未だ取得していない画像データであった場合には、その画像データを取引通番に対応付けて画像データ記憶部１３２に追加して記録していく。
【００４５】
ステータス情報変更部１３６は、画像データ記録部１３５により取引通番と画像データとが関連付けられて画像データ記憶部１３２に記録されたときに、その取引通番に関連付けて取引通番記憶部１３１に記憶されているステータス情報を、「画像データ取得済み」に変更する。
【００４６】
例えば、図３に例示したデータが取引通番記憶部１３１に記録されているときに、画像データ記録部１３５が、取引通番「０１００３」が印刷されている為替取引帳票の画像データを画像データ記憶部１３２に記録すると、ステータス情報変更部１３６は、取引通番記憶部１３１において取引通番「０１００３」に関連付けられているステータス情報「画像データ未取得」を「画像データ取得済み」に変更する。
【００４７】
これにより、その後、取引通番「０１００３」の為替取引帳票の画像データが、営業店システム２０のイメージ送信用端末２２からＩＷＦ中継サーバ１３に送信されたとしても、取引通番「０１００３」のステータス情報が「画像データ取得済み」であるため、画像データ記録部１３５は、取引通番「０１００３」の為替取引帳票の画像データを、画像データ記憶部１３２に追加しない。
従って、画像データ記憶部１３２には、１つの取引通番に対して１つの画像データだけが記録される。
【００４８】
記録画像データ送信部１３７は、画像データ記録部１３５により画像データ記憶部１３２に記録された画像データを、為替サーバ１１に送信する。為替サーバ１１では、為替取引帳票の画像データにより特定される為替取引に基づく為替処理が行われる。
例えば、記録画像データ送信部１３７は、為替サーバ１１から為替取引帳票の画像データを要求されると、画像データ記憶部１３２から読み出して為替サーバ１１に送信する。
【００４９】
ここで、上述したように、画像データ記録部１３５には１つの取引通番に対して１つの画像データだけが記録され、同一の取引通番の為替取引帳票の画像データが画像データ記録部１３５に二重に記録されることはない。
従って、本実施形態に係る為替取引処理システム１によれば、為替取引帳票の画像データにより特定される為替取引が為替サーバ１１において二重に処理されることを防ぐことができる。
【００５０】
更に、本実施形態に係る為替取引処理システム１によれば、営業店システム２０側ではなく、集中センターシステム１０側のＩＷＦ中継サーバ１３が取引通番の採番を行うので、営業店システム２０の処理負担を軽減しながら為替取引処理の二重処理を防止することができる。
【００５１】
次に、集中センターシステム１０及び営業店システム２０が備える各装置のハードウェア構成について説明する。
ここでは、集中センターシステム１０が備えているＩＷＦ中継サーバ１３のハードウェア構成を説明する。他の装置である為替サーバ１１、勘定系ホスト１２、窓口端末２１、及びイメージ送信用端末２２については、ＩＷＦ中継サーバ１３と実質的に同様なハードウェア構成とすることができるため、その説明は省略する。
【００５２】
図６は、ＩＷＦ中継サーバ１３のハードウェア構成例を示すブロック図である。
図６に示すように、ＩＷＦ中継サーバ１３は、ハードウェア構成として、通信部１４１と、周辺機器接続部１４２と、入力部１４３と、出力部１４４と、記憶部１４５と、制御部１４６と、を備える。
【００５３】
通信部１４１は、通信インタフェース等を備えており、ＩＷＦ中継サーバ１３に接続される他の装置との通信に用いられる。具体的には、ＩＷＦ中継サーバ１３は、通信部１４１を用いて、為替サーバ１１とデータの送受信を行うと共に、通信ネットワーク３０を介して営業店システム２０が備える窓口端末２１及びイメージ送信用端末２２とデータの送受信を行う。
【００５４】
周辺機器接続部１４２は、周辺機器との接続インタフェース等を備えており、ＩＷＦ中継サーバ１３にプリンタ、イメージスキャナ等の周辺機器を接続する際に用いられる。
【００５５】
入力部１４３は、キーボード、マウス等の入力装置を備える。入力部１４３には、操作をする者による入力操作に応じて様々な情報が入力される。
出力部１４４は、ディスプレイ等の出力装置を備え、様々な情報を出力する。
【００５６】
記憶部１４５は、ハードディスク等の補助記憶装置を備え、様々な情報やプログラム等を記憶する。なお、この記憶部１４５により、前述の取引通番記憶部１３１と画像データ記憶部１３２とは実現される。また、記憶部１４５には、ＩＷＦ中継サーバ１３が、取引通番を管理する機能等の様々な機能を実現するためのプログラム等が格納されている。
【００５７】
制御部１４６は、ＣＰＵ（Central Processing Unit）１４７、ＲＯＭ（Read Only Memory）１４８、ＲＡＭ（Random Access Memory）１４９等から構成され、データの演算処理を行うと共に、ＩＷＦ中継サーバ１３の全体を制御する。制御部１４６における演算処理及び制御処理は、具体的には、ＣＰＵ１４７が、ＲＡＭ１４９を作業領域として使用して各種データを一時的に記憶させながら、ＲＯＭ１４８に記憶されている制御プログラムを実行することにより行われる。
【００５８】
制御部１４６が、ＲＯＭ１４８や記憶部１４５に記憶されているプログラムに従って、通信部１４１、周辺機器接続部１４２、入力部１４３、出力部１４４、及び記憶部１４５を制御することにより、ＩＷＦ中継サーバ１３において、取引通番を管理するための動作等の様々な動作が実行される。
【００５９】
なお、ＩＷＦ中継サーバ１３の図２に示した取引通番記憶部１３１、画像データ記憶部１３２、付与取引通番送信部１３３、ステータス情報記録部１３４、画像データ記録部１３５、ステータス情報変更部１３６、及び記録画像データ送信部１３７は、具体的には、制御部１４６の処理により実現される機能的な構成である。
【００６０】
［第２の実施形態］
次に、本発明の第２の実施形態として、イメージ送信用端末２２がＩＷＦ中継サーバ１３に為替取引帳票の画像データを送信する場合のより具体的な実施形態を説明する。
図７は、本発明の第２の実施形態に係る為替取引処理システム１の機能的な構成例を示すブロック図である。
なお、図７では、主に、図２に示した第１の実施形態の構成と異なる部分を示す。
【００６１】
図７に示すように、営業店システム２０におけるイメージ送信用端末２２の帳票情報送信部２２２は、送信許可要求情報送信部２５１と、許可帳票情報送信部２５２と、を含んでいる。また、集中センターシステム１０におけるＩＷＦ中継サーバ１３の画像データ記録部１３５は、画像データ未取得判別部１５１と、送信許可情報送信部１５２と、許可帳票情報受信部１５３と、許可画像データ記録部１５４と、を含んでいる。
【００６２】
送信許可要求情報送信部２５１は、為替取引帳票の画像データを集中センターシステム１０へ送信することの許可を要求するための送信許可要求情報を、集中センターシステム１０のＩＷＦ中継サーバ１３に送信する。送信許可要求情報には、具体的には、帳票情報取得部２２１により取得された取引通番と、その取引通番が印刷されている為替取引帳票の画像データの送信許可を要求する情報と、が含まれている。
【００６３】
画像データ未取得判別部１５１は、送信許可要求情報送信部２５１により送信された送信許可要求情報を受信すると、受信した取引通番が取引通番記憶部１３１においてステータス情報「画像データ未取得」に関連付けられているか否かを判別する。
【００６４】
送信許可情報送信部１５２は、画像データ未取得判別部１５１により取引通番がステータス情報「画像データ未取得」に関連付けられていると判別されたときに、為替取引帳票の画像データを営業店システム２０から集中センターシステム１０へ送信することを許可するための送信許可情報を、営業店システム２０のイメージ送信用端末２２に送信する。送信許可情報には、具体的には、ステータス情報「画像データ未取得」に関連付けられていると判別された取引通番と、その取引通番が印刷されている為替取引帳票の画像データの送信を許可する情報と、が含まれている。
【００６５】
営業店システム２０のイメージ送信用端末２２は、送信許可要求情報送信部２５１により送信された送信許可要求情報に応じてＩＷＦ中継サーバ１３が送信を許可した場合に、ＩＷＦ中継サーバ１３から送信される送信許可情報を受信する。
【００６６】
許可帳票情報送信部２５２は、ＩＷＦ中継サーバ１３の送信許可情報送信部１５２により送信された送信許可情報を受信すると、その送信許可情報に含まれている取引通番と、その取引通番が印刷されている為替取引帳票の帳票情報取得部２２１により取得された画像データと、を関連付けてＩＷＦ中継サーバ１３に送信する。
【００６７】
許可帳票情報受信部１５３は、送信許可情報送信部１５２により送信された送信許可情報に応じて許可帳票情報送信部２５２により送信された取引通番と画像データとを受信する。
【００６８】
許可画像データ記録部１５４は、許可帳票情報受信部１５３により受信された取引通番と画像データとを関連付けて画像データ記憶部１３２に記録する。
【００６９】
以上の構成の本発明の第２の実施形態に係る為替取引処理システム１によれば、画像データ記憶部１３２に記録されることが可能な画像データのみが、送信を許可されて、営業店システム２０から集中センターシステム１０へ送信されるので、不要な画像データの送信を抑えることができる。
従って、通信ネットワーク３０を介した集中センターシステム１０と営業店システム２０との間の通信回線における画像データの送信による負荷を軽減することができる。
【００７０】
［第３の実施形態］
次に、本発明の第３の実施形態として、営業店システム２０から送信されて集中センターシステム１０に記憶されている画像データが為替処理において読みにくかった場合等に、画像データを営業店システム２０から再送させることが可能な実施形態を説明する。
【００７１】
図８は、本発明の第３の実施形態に係る為替取引処理システム１の機能的な構成例を示すブロック図である。
なお、図８では、主に、図２に示した第１の実施形態の構成と異なる部分を示す。
【００７２】
図８に示すように、集中センターシステム１０のＩＷＦ中継サーバ１３は、図２に示した各部に加えて、更に、再送要求情報受信部１６１と、再送要求ステータス情報変更部１６２と、を備えている。
【００７３】
再送要求情報受信部１６１は、為替サーバ１１から、取引通番と、その取引通番が印刷されている為替取引帳票の画像データの再送を要求する情報と、を含む再送要求情報を受信する。
【００７４】
再送要求ステータス情報変更部１６２は、再送要求情報受信部１６１により再送要求情報が受信されたときに、その再送要求情報に含まれている取引通番に関連付けて取引通番記憶部１３１に記憶されているステータス情報を、画像データの再送が要求されていることを示す「画像データ再送要求」情報に変更する。
【００７５】
本実施形態における画像データ記録部１３５は、イメージ送信用端末２２の帳票情報送信部２２２により送信された取引通番を受信すると、受信した取引通番が取引通番記憶部１３１において「画像データ未取得」又は「画像データ再送要求」のステータス情報に関連付けられているか否かを判別する。そして、画像データ記録部１３５は、その受信した取引通番が「画像データ未取得」又は「画像データ再送要求」のステータス情報に関連付けられていると判別したときに、帳票情報送信部２２２により送信された取引通番と画像データとを関連付けて画像データ記憶部１３２に記録する。
【００７６】
以上の構成の本発明の第３の実施形態に係る為替取引処理システム１によれば、集中センターシステム１０に記憶されている為替取引帳票の画像データが為替処理において読みにくかった場合、記載漏れや記載不鮮明な箇所があった場合等に、画像データを営業店システム２０から再送させることができる。
【００７７】
［第４の実施形態］
次に、本発明の第４の実施形態として、為替取引の入金後に、その為替取引に取引通番を付与する実施形態を説明する。
図９は、本発明の第４の実施形態に係る為替取引処理システム１の機能的な構成例を示すブロック図である。
なお、図９では、主に、図２に示した第１の実施形態の構成と異なる部分を示す。
【００７８】
図９に示すように、営業店システム２０の窓口端末２１は、図２に示した各部に加えて、更に、入金金額取得部２７１と、入金金額送信部２７２と、収納済み情報受信部２７３と、を備えている。
【００７９】
入金金額取得部２７１は、受け付けた為替取引において入金された金額を取得する。
例えば、窓口端末２１に接続されている現金入出金装置に、振込等の為替取引おいて取引される現金が入金されると、入金金額取得部２７１は、入金された金額を取得する。
【００８０】
入金金額送信部２７２は、入金金額取得部２７１により取得された入金金額を、集中センターシステム１０の勘定系ホスト１２に送信する。
収納済み情報受信部２７３は、勘定系ホスト１２から、入金金額送信部２７２により送信された入金金額が収納されたことを示す収納済み情報を受信する。
【００８１】
そして、本実施形態における取引通番要求情報送信部２１１は、収納済み情報受信部２７３により収納済み情報が受信されたときに、取引通番の要求情報を集中センターシステム１０のＩＷＦ中継サーバ１３に送信する。
【００８２】
以上の構成の本発明の第４の実施形態に係る為替取引処理システム１によれば、入金後でなれば為替取引に取引通番が付与されないため、入金後でなければ為替取引帳票の画像データを営業店システム２０から集中センターシステム１０に送信することができないようにすることができる。
【００８３】
以上、本発明の実施形態を説明したが、本発明を実施するにあたっては、種々の形態による変形及び応用が可能であり、上記実施形態に限られるものではない。
【００８４】
例えば、集中センターシステム１０が備えている為替サーバ１１、勘定系ホスト１２、及びＩＷＦ中継サーバ１３の機能を、互いに組み合わせることにより、１又は２のサーバ装置で実現させても良い。
また、同様に、営業店システム２０が備えている窓口端末２１及びイメージ送信用端末２２の機能を、１つの端末装置で実現させても良い。
【００８５】
更に、上記実施形態に係るＩＷＦ中継サーバ１３の機能は、専用のハードウェアによって実現することができる一方で、通常のコンピュータシステムによっても実現することができる。
【００８６】
例えば、上記実施形態において、ＩＷＦ中継サーバ１３の記憶部１４５に記憶されているプログラムを、フレキシブルディスク、ＣＤ−ＲＯＭ（Compact Disk Read-Only Memory）、ＤＶＤ（Digital Versatile Disk）、ＭＯ（Magneto-Optical disk）等のコンピュータ読み取り可能な記録媒体に格納して配布し、そのプログラムをコンピュータにインストールすることにより、上述の機能を実現する装置を構成することができる。
【００８７】
また、プログラムをインターネット等の通信ネットワーク上の所定のサーバ装置が有するディスク装置等に格納しておき、例えば、搬送波に重畳させて、コンピュータにダウンロード等するようにしても良い。
【００８８】
また、通信ネットワークを介してプログラムを転送しながら起動実行することによっても、上述の機能を達成することができる。
更に、プログラムの全部又は一部をサーバ装置上で実行させ、その処理に関する情報をコンピュータが通信ネットワークを介して送受信しながらプログラムを実行することによっても、上述の機能を達成することができる。
【００８９】
なお、上述の機能を、ＯＳ（Operating System）が分担して実現する場合又はＯＳとアプリケーションとの協働により実現する場合等には、ＯＳ以外の部分のみを媒体に格納して配布してもよく、また、コンピュータにダウンロード等しても良い。
【００９０】
また、ＩＷＦ中継サーバ１３と同様に、為替サーバ１１、勘定系ホスト１２、窓口端末２１、及びイメージ送信用端末２２の機能も、通常のコンピュータシステムによって実現することができる。
【００９１】
なお、本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【符号の説明】
【００９２】
１  為替取引処理システム
１０  集中センターシステム
１１  為替サーバ
１２  勘定系ホスト
１３  ＩＷＦ中継サーバ
２０  営業店システム
２１  窓口端末
２２  イメージ送信用端末
３０  通信ネットワーク
１３１  取引通番記憶部
１３２  画像データ記憶部
１３３  付与取引通番送信部
１３４  ステータス情報記録部
１３５  画像データ記録部
１３６  ステータス情報変更部
１３７  記録画像データ送信部
１５１  画像データ未取得判別部
１５２  送信許可情報送信部
１５３  許可帳票情報受信部
１５４  許可画像データ記録部
１６１  再送要求情報受信部
１６２  再送要求ステータス情報変更部
２１１  取引通番要求情報送信部
２１２  取引通番印刷部
２２１  帳票情報取得部
２２２  帳票情報送信部
２５１  送信許可要求情報送信部
２５２  許可帳票情報送信部
２７１  入金金額取得部
２７２  入金金額送信部
２７３  収納済み情報受信部
【図１】
0005482246.tif 000002
【図２】
0005482246.tif 000003
【図３】
0005482246.tif 000004
【図４】
0005482246.tif 000005
【図５】
0005482246.tif 000006
【図６】
0005482246.tif 000007
【図７】
0005482246.tif 000008
【図８】
0005482246.tif 000009
【図９】
0005482246.tif 000010